(57)【要約】【課題】  組立分解が容易で、金網パネルを四隅部において安定した状態で確実に連結でき、網目寸法の小さい金網を用いた金網かごにも適用できるとともに、金網との接触による収容物の傷付きを防止でき、小物も支障なく収容できる組立式金網かごを提供する。【解決手段】  底面パネルと４枚の側面パネルを連結具により相互に連結して上向きに開口する箱状の金網かご１を形成する組立式金網かごであって、前記５枚の各パネルが、線材を折曲成形した角枠を周縁材とし四隅に連結用開口部１２を有する金網パネルから成り、前記連結具が、組立時に隣り合う前記金網パネルの連結用開口部１２の側辺部を構成する前記線材が嵌合する２本の平行な嵌込溝をそなえた、弾性を有する合成樹脂製のクリップ３から成るとともに、箱状の金網かご１の内面に沿う形状を有する袋本体２１の上縁部に折返し部（折返し片２４，２５）を連設して成る布製の袋２を具備した。【選択図】      図１
2005112449.tif 000002
【特許請求の範囲】
【請求項１】
底面パネルと４枚の側面パネルを連結具により相互に連結して上向きに開口する箱状の金網かごを形成する組立式金網かごであって、
前記５枚の各パネルが、線材を折曲成形した角枠を周縁材とし四隅に連結用開口部を有する金網パネルから成り、
前記連結具が、組立時に隣り合う前記金網パネルの前記連結用開口部の側辺部を構成する前記線材が嵌合する２本の平行な嵌込溝をそなえた、弾性を有する合成樹脂製のクリップから成るとともに、
前記箱状の金網かごの内面に沿う形状を有する袋本体の上縁部に折返し部を連設して成る布製の袋を具備し、
前記箱状の金網かご内に前記袋本体部を装入し前記折返し部を該金網かごの上縁から外側へ折返して前記袋を該金網かごに装着するようにしたことを特徴とする組立式金網かご。
【請求項２】
前記折返し部が、前記袋本体の各側面の上縁部に沿ってそれぞれ連設された４枚の折返し片から成り、前記袋本体の各側面の上部隅角部および前記折返し片の長手方向両端部に、前記袋の前記金網かごへの装着時に前記側面パネル上部の前記連結用開口部内の位置において前記袋本体と前記折返し片部とを相互に係止する係止具を設けたことを特徴とする請求項１記載の組立式金網かご。
【請求項３】
前記金網かごの組立時において対向配置される２枚の前記側面パネルの上部中央位置に、前記角枠の前記線材を上辺部とする手掛け用開口部を設けたことを特徴とする請求項１または２記載の組立式金網かご。
【発明の詳細な説明】
【技術分野】
【０００１】
この発明は、たとえばおもちゃや衣類などを入れるのに用いる組立式金網かごに関する。
【背景技術】
【０００２】
おもちゃや衣類などの日用品を入れる整理かごあるいは脱衣かごとして用いられる金網かごは、従来は金網に折曲加工や溶接を施して、上向きに開口した角形容器状の一体形の金網かごとして製造されるのが一般的であった。しかしこの一体形のかごはかさばるため、製造後，需要者の使用場所（たとえば家庭内）に至る迄の製品の保管，運搬などのスペースがかさむとともに取扱いが不便であったので、これを解決するものとして、金網かごの側枠（角筒状部）を複数個に分割してその両サイドに連結用の係止部を設けた組立式金網かごが提案されている（たとえば、特許文献１参照。）。
【特許文献１】実開平３−４９９３２号公報（第１頁、第１図〜第３図）
【０００３】
ところが上記の組立式金網かごは、側枠の両サイドに設ける係止部の構造が複雑で、特に側枠のサイドに溶接したボルト穴付きの金属板と、隣り合う側枠係止用のボルト穴付きのＬ字状の連結金具とを、ボルトとナットにより連結する構造は、製作がめんどうであるだけでなく、小さな部品を用いる連結作業は極めて煩雑で、家庭用に一般の人が組立てあるいは分解して使用するのには不適当であった。
【０００４】
そこで上記の連結構造に代るものとして、合成樹脂製の連結具（クリップ）を用いて、枠体と網体を備えた平らな構造物である側枠の枠体同士を連結する連結構造も提案されている（たとえば、特許文献２参照。）。
【特許文献２】実用新案登録第２５３８９６２号公報（第３頁、図８）
【０００５】
しかしこの合成樹脂製の連結具は、先ず網体の網目寸法が小さい場合には使用できないという大きな問題点があるうえ、隣合う２本の枠体の長手方向のどの位置においても枠体に嵌込んで両枠体を連結できるので、組立時に上記長手方向の中央部寄りの位置で枠体に嵌込んだりすると、隣り合う側枠同士の安定した連結状態が得られないという問題点がある。
【０００６】
またこれらの連結方式以外に、従来の金網かごにおいてはかご内の収容物が直接金網に触れるので、プラスチック製品に傷が付いたり衣類に摺り傷が付きやすく、また衣類のボタン等が金網に引掛かって取出時に破断事故をおこしやすく、これらの点は金網かごに商品を収容して陳列する陳列用容器として使用する場合も同様であり、さらに金網に引掛かりやすい形状のアクセサリーその他の商品や網目寸法より小さい小物の収容用には使用できないという問題点を有するものであった。
【発明の開示】
【発明が解決しようとする課題】
【０００７】
この発明は上記従来の問題点にかんがみてなされたもので、組立分解が容易であり、組立時における金網パネルの連結位置が判りやすく金網パネルを四隅部において安定した状態で確実に連結でき、網目寸法の小さい金網を用いた金網かごにも適用できるとともに、金網との接触による収容物の傷付きを防止でき、小物も支障なく収容できる組立式金網かごを提供することを目的とする。
【課題を解決するための手段】
【０００８】
上記目的を達成するために、請求項１記載の組立式金網かごは、底面パネルと４枚の側面パネルを連結具により相互に連結して上向きに開口する箱状の金網かごを形成する組立式金網かごであって、前記５枚の各パネルが、線材を折曲成形した角枠を周縁材とし四隅に連結用開口部を有する金網パネルから成り、前記連結具が、組立時に隣り合う前記金網パネルの前記連結用開口部の側辺部を構成する前記線材が嵌合する２本の平行な嵌込溝をそなえた、弾性を有する合成樹脂製のクリップから成るとともに、前記箱状の金網かごの内面に沿う形状を有する袋本体の上縁部に折返し部を連設して成る布製の袋を具備し、前記箱状の金網かご内に前記袋本体部を装入し前記折返し部を該金網かごの上縁から外側へ折返して前記袋を該金網かごに装着するようにしたことを特徴とする。
【０００９】
請求項１記載の発明によれば、金網かごの組立時には、隣り合う金網パネルをその四隅の連結用開口部において、クリップの嵌込溝を連結用開口部の側辺部を構成する線材に嵌込むことにより、迅速容易に金網かごを組立てることができ、連結用開口部には金網が張られていないので組立時における連結位置が判りやすいうえ、金網の網目寸法が小さい場合でも全く支障なく組立てでき、各パネルは四隅部においてクリップにより相互に連結されて、安定した連結状態が維持される。そしてこの組立状態の金網かごに、折返し部を折返して装着された布製の袋の袋本体部は、金網の内面側を覆い、かご内の収容物の金網との接触や、金網の網目との引掛かりおよび網目内からの落下を防止する。
【００１０】
この発明において袋の折返し部は、角筒状の袋本体をそのまま上方へ延長して短尺角筒状の連続した折返し部を形成し、これを引張りつつ金網かごの上縁から外側へ折返して金網かごに装着するようにしてもよいが、請求項２記載の発明のように、前記折返し部が、前記袋本体の各側面の上縁部に沿ってそれぞれ連設された４枚の折返し片から成り、前記袋本体の各側面の上部隅角部および前記折返し片の長手方向両端部に、前記袋の前記金網かごへの装着時に前記側面パネル上部の前記連結用開口部内の位置において前記袋本体と前記折返し片部とを相互に係止する係止具を設けた構成とすれば、個々の折返し片を容易に折返すことができるとともに、袋本体と折返し状態の折返し片とが連結用開口部内において係止具により相互に係止されるので、折返し片の折返し状態が維持され、また金網かごに対する袋のずれが防止される。
【００１１】
またこの発明において、側面パネルは上辺部まで金網が張設されたものとしてもよいが、請求項３記載の発明のように、前記金網かごの組立時において対向配置される２枚の前記側面パネルの上部中央位置に、前記角枠の前記線材を上辺部とする手掛け用開口部を設けた構成とすれば、手掛け用開口部に手を掛けて、金網かごを安定した状態で持運びできるので、好ましい。
【発明の効果】
【００１２】
この発明によれば、組立分解が容易であり、組立時における金網パネルの連結位置が判りやすく金網パネルを四隅部において安定した状態で確実に連結でき、網目寸法の小さい金網を用いた金網かごにも適用できるとともに、金網との接触による収容物の傷付きを防止でき、小物も支障なく収容できる組立式金網かごが得られる。
【００１３】
また上記の効果に加えて、請求項２記載の発明によれば、個々の折返し片を折返すことにより袋を金網かごに容易に装着できるとともに、袋本体と折返し状態の折返し片とが連結用開口部内において係止具により相互に係止されるので、折返し片の折返し状態が維持され、また金網かごに対する袋のずれが防止されて、金網かごに対する袋の良好な装着状態が得られる。
【００１４】
また上記の効果に加えて、請求項３記載の発明によれば、手掛け用開口部に手を掛けて、金網かごを安定した状態で持運びできる。
【発明を実施するための最良の形態】
【００１５】
以下、図１〜図１０に示す第１例により、この発明の実施の形態を説明する。図１は、組立状態の金網かご１に袋２を装着した状態を示す。組立状態の金網かご１は図２に示すように上向きに開口する箱状を呈し、図３に示す底面パネル５と、２組４枚の側面パネル６，６，７，７を、連結具であるクリップ３により相互に連結して組立てられる。これらの５枚のパネル（以下、パネルＰと総称する。）は、側面パネル６を例示する図４〜図６に示すように、太目の線材Ｗ（たとえば線径４〜５mmの鋼線）を折曲成形した角枠１１を周縁材とし、四隅に連結用開口部１２を有する金網パネル１０から成る。
【００１６】
図４〜図６において、１３は連結用開口部１２のパネル中心側の一辺部を構成する縁材で、角枠１１を形成する線材Ｗよりやや細い（同径でもよい）直棒状の鋼線の両端を、角枠１１に溶接して成る。また１４は、金網かご１の長手方向両端部に位置する互いに対向する側面パネル６，６の（組立状態における）上部中央位置に設けられる手掛け用開口部で、１５はその開口部三辺部を構成する縁材で、前記縁材１３と同様な鋼線をコ字状に折曲成形したものの両端部を、角枠１１に溶接して成る。
【００１７】
そしてこれらの連結用開口部１２および手掛け用開口部１４に相当する部分を切欠いたシート状の金網１６の外周縁部を、角枠１１および縁材１３，１５に半田付けにより固着して、金網パネル１０が形成されている。また側面パネル７，７および底面パネル５は、手掛け用開口部１４を有しない点を除いては、側面パネル６と同構成を有するものである。
【００１８】
またクリップ３は、図７および図８に示すように、組立時に隣り合う金網パネル１０の連結用開口部１２の側辺部を構成する（角枠１１の構成材である）線材Ｗが嵌合する２本の平行な嵌込溝３１，３１をそなえた、弾性を有する合成樹脂の成形品から成る。嵌込溝３１は、線材Ｗの線径に近い内径を有する半円を越える円弧面３２を有し、その開口部３３の巾は上記線径よりやや小さく、線材Ｗの嵌脱時にはクリップ３は弾性変形して開口部３３の線材通過を許容し、嵌込状態では弾性力により線材Ｗは嵌込溝３１内に保持される。３４，３４は線材導入用のガイド片で、両片間の開口巾は線材Ｗの線径より大としてある。そして図７に示すように、嵌込溝３１，３１に嵌込まれた２本の線材Ｗ，Ｗは、相互に接触した状態でクリップ３により連結される。
【００１９】
上記構成のパネルＰにより金網かごを組立てるには、図２，図７，図９に示すように、隣り合う各パネルＰを構成する金網パネル１０の各辺両端部の連結用開口部１２部において、クリップ３の嵌込溝３１，３１を隣り合う線材Ｗ，Ｗに嵌込むことにより、各パネルＰを一辺あたり２カ所でクリップ３により相互に連結し、計１６個のクリップ３により各パネルを四隅部において相互に連結して、組立状態の金網かご１を得る。
【００２０】
このとき連結用開口部１２には金網１６が張られていないので、金網１６の張られている部分とはひとめで見分けがつき、素人でもこの連結用開口部１２において隣り合う金網パネル１０の連結を自然におこなうものであり、クリップ３の嵌込時には金網１６は全く支障とならず、特に金網１６の網目寸法が小さい場合でも、金網１６のない連結用開口部１２において全く支障なくクリップ３により連結作業ができるのである。
【００２１】
また連結状態においては、クリップ３の線材Ｗに沿ったスライド移動は連結用開口部１２内に制限されるため、各パネルＰは四隅部で安定した状態で確実に相互に連結され、箱状体に維持されるのである。
【００２２】
次に図１０は、この組立状態の金網かご１に装着される袋２を示し、金網かご１の内面に沿う形の底面付きで上向きに開口する袋本体２１と、この袋本体２１の各側面２２，２３の上縁部２２ａ，２３ａに沿って連設され両端部がやや切欠かれた４枚の折返し片２４，２５を折返し部としてそなえて成り、全体はキャンバス地や伸縮性を有する布地などの縫製により構成されている。そして袋本体２１の各側面の上部隅角部（の外側面）と折返し片２４，２５の長手方向両端部（の外側面。後述の折返し時における内側面）には、雌雄のスナップ（一対の面ファスナでもよい）から成る係止具２６ａ，２６ｂが取付けてあり、この取付位置は、袋２を装着したときの金網かご１の各パネルＰの上部の連結用開口部１２内において上記係止具２６ａ，２６ｂが対向するように、選定されている。
【００２３】
上記構成の袋２を組立状態の金網かご１に装着するには、袋本体２１部を金網かご１内に装入し、折返し片２４，２５を金網かご１の上縁から、図１０に矢印で示すように外側へ折返して、各パネルＰの連結用開口部１２内において袋本体２１と折返し片２４，２５とを係止具２６ａ，２６ｂにより相互に係止させる。これによって折返し片２４，２５は金網かご１の上縁部を覆った折返し状態を維持されるとともに、相互係止部の移動は連結用開口部１２内に制限されるため、金網かご１に対する袋２のずれが防止される。
【００２４】
上記の袋２を装着した金網かご１は、たとえばおもちゃや衣類などの日用品を入れる整理かごとして、あるいは脱衣かごとして、使用に供される。このとき金網かご１の金網１６部は袋２により内面側が覆われているので、収容物と金網１６との接触による収容物の傷付きや摺り傷の発生が防止され、衣類のボタンなどが金網１６の網目に引掛かる事故も防止される。
【００２５】
またこの袋２付きの金網かご１は、たとえばプラスチック製品，衣類，陶磁器，アクセサリーなどの商品を収容して陳列する陳列用容器としても使用でき、このときも上記と同様な収容物の傷の発生や金網１６との引掛かり事故が防止されるとともに、金網１６の網目寸法より小さいアクセサリーなどの小物も、支障なく収容することができるのである。
【００２６】
またこの例では金網かご１の上部両端部に、手掛け用開口部１４，１４が設けてあるので、この開口部に手を掛けて金網かご１を、取落したりすることなく安定した状態で持運ぶことができる。
【００２７】
袋２が汚れたときなどは、係止具２６ａ，２６ｂの相互係止を外して金網かご１から袋２を簡単に取外して、洗濯することができる。また容器として使用しないときは、上記と逆の手順で金網かご１は簡単に分解でき、取外した袋２と共に小さいスペースに保管することができるのである。
【００２８】
次に図１１および図１２に示す第２例により、この発明の実施の形態を説明する。この例の組立式金網かごは、前記第１例に比べて袋４０の構成および金網かご１への装着方法が異なるだけで、その他の構成は第１例と同じであるので、図１〜図１０と同一または相当部分には同一符号を付してそれらの部分の詳細な説明は省略する。
【００２９】
すなわち、図１２に示すようにこの例の袋４０は、角筒状の袋本体２１の互いに連続した各側面２２，２３部をそのまま上方へ延長して、短角筒状の連続した折返し部４１を形成したものであり、伸縮性を有する布地（たとえばジャージー）を縫製して成り、第１例における係止具２６ａ，２６ｂは具備していない。
【００３０】
金網かご１は第１例と同構成で第１例と同様にして組立てられ、これに上記の袋４０を装着する際には、袋本体２１を金網かご１内に装入後、折返し部４１を手で引き伸ばしつつ図１２に矢印で示すように折返し、図１１に示す装着状態を得る。折返し部４１は、その収縮力により折返し状態を維持される。そしてこの装着状態の袋４０により金網かご１の金網１６部の内面側が覆われ、第１例と同様な収容物の傷付き防止その他の作用効果が得られるものである。
【００３１】
なお袋４０は、伸縮性の小さい布地で構成してもよく、この場合は折返し部４１の先端縁部にゴム紐を通したり、袋全体の深さを大きくして折返し部４１の上下巾を大きくとるなどして、袋４０装着時の金網かご１に対する袋保持力の増加をはかるとよい。
【００３２】
この発明は上記各例に限定されるものではなく、たとえば金網パネル１０の四隅の連結用開口部１２は、上記の三角形状のほか、四角形状のものなどとしてもよく、またかごの深さやサイズなどによっては、手掛け用開口部１４は省略してもよい。またクリップ３は、２本の線材Ｗ，Ｗを小間隔（たとえば数mm）離間した平行状態で嵌合保持する嵌込溝３１，３１をそなえたものとしてもよい。
【図面の簡単な説明】
【００３３】
【図１】この発明の実施の形態の第１例を示す袋を装着した金網かごの斜視図である。
【図２】図１における組立状態の金網かごの斜視図である。
【図３】図２の金網かごの分解状態のパネル構成を示す斜視図である。
【図４】図２および図３における側面パネル６の正面図である。
【図５】図４のＡ−Ａ線断面図である。
【図６】図４のＢ−Ｂ線断面図である。
【図７】図２のＣ−Ｃ線断面図である。
【図８】図７におけるクリップの斜視図（ａ）および拡大横断面図（ｂ）である。
【図９】図２におけるＤ部底面側斜視図である。
【図１０】図１における袋の斜視図である。
【図１１】この発明の実施の形態の第２例を示す図１相当図である。
【図１２】図１１における袋の斜視図（図１０相当図）である。
【符号の説明】
【００３４】
１…金網かご、２…袋、３…クリップ、５…底面パネル、６…側面パネル、７…側面パネル、１０…金網パネル、１１…角枠、１２…連結用開口部、１４…手掛け用開口部、１６…金網、２１…袋本体、２２ａ…上縁部、２３ａ…上縁部、２４…折返し片（折返し部）、２５…折返し片（折返し部）、２６ａ…係止具、２６ｂ…係止具、３１…嵌込溝、４０…袋、４１…折返し部、Ｗ…線材。
【図１】
2005112449.tif 000003
【図２】
2005112449.tif 000004
【図３】
2005112449.tif 000005
【図４】
2005112449.tif 000006
【図５】
2005112449.tif 000007
【図６】
2005112449.tif 000008
【図７】
2005112449.tif 000009
【図８】
2005112449.tif 000010
【図９】
2005112449.tif 000011
【図１０】
2005112449.tif 000012
【図１１】
2005112449.tif 000013
【図１２】
2005112449.tif 000014